(57)【要約】【課題】人体内部のより深い箇所まで特にＳ極からの磁気を到達させることができる磁気発生装置、および水道管内部を通過する水に対して特にＳ極からの磁気を作用させることができる磁気発生装置を提供する。【解決手段】互いに反対側に位置するＳ極の磁極面およびＮ極の磁極面を有する所定数の永久磁石を含む少なくとも１つの磁気発生手段１を備える、磁気発生装置であって、磁気発生手段１が、永久磁石の同じ極性の磁極面が同一面に位置するように、ケース内に互いに隣接して組み合わされた所定数の永久磁石から構成され、人体側にＳ極の磁極面を向けて、人体に接触してまたは隣接して配置される、または水道管側にＳ極の磁極面を向けて、水道管に接触してまたは隣接して配置されることを特徴とする。【選択図】  図１Ａ
2010119858.tif 000002
【特許請求の範囲】
【請求項１】
互いに反対側に位置するＳ極の磁極面およびＮ極の磁極面を有する所定数の永久磁石を含む少なくとも１つの磁気発生手段を備える、磁気発生装置であって、
前記磁気発生手段が、前記永久磁石の同じ極性の磁極面が同一面に位置するように、ケース内に互いに隣接して組み合わされた所定数の前記永久磁石から構成され、人体側にＳ極の磁極面を向けて、人体に接触してまたは隣接して配置されることを特徴とする磁気発生装置。
【請求項２】
互いに反対側に位置するＳ極の磁極面およびＮ極の磁極面を有する所定数の永久磁石を含む少なくとも１つの磁気発生手段を備える、磁気発生装置であって、
前記磁気発生手段が、前記永久磁石の同じ極性の磁極面が同一面に位置するように、ケース内に互いに隣接して組み合わされた所定数の前記永久磁石から構成され、水道管側にＳ極の磁極面を向けて、水道管に接触してまたは隣接して配置されることを特徴とする磁気発生装置。
【発明の詳細な説明】
【技術分野】
【０００１】
本発明は、発生した磁気を、人体に作用させるまたは水道管内部を通過する水に作用させる磁気発生装置に関する。
【背景技術】
【０００２】
従来、人体内部の所定箇所に磁気を作用させる、あるいは水道管内部を通過する水に磁気を作用させるための磁気発生装置があった。
【０００３】
人体内部の所定箇所に磁気を作用させる場合は、永久磁石を含む磁気発生装置が用いられていた。永久磁石を用いる理由は、永久磁石が、小型軽量であり、温度、湿度、振動、衝撃などの使用環境の影響を受け難く、保守の必要が無く、かつ磁気を発生させるために外部からエネルギーを供給する必要がないなどの優れた特性を有するためであった。
【０００４】
このような人体内部の所定箇所に磁気を作用させる場合、例えば磁気の作用によって人体内部の所定箇所の「こり」を治療する場合には、強い強度の磁気を作用させることよりも、弱い強度の磁気であっても、そのような「こり」のある箇所に磁気を作用させることが必要であった。すなわち、人体表面から所定の深さにある「こり」の箇所に、磁気発生装置である永久磁石からの磁気を到達させることが必要となる。
【０００５】
ところが、永久磁石が発生する磁気は、永久磁石の表面から遠方へはほとんど到達しないものであった。そのために、磁気発生装置である永久磁石を、所定の収納部材を介して人体に接触させた場合、あるいは直接皮膚に接触させた場合であっても、人体内部の所定の深さにある「こり」の箇所まで、磁気を到達させることができず、十分な治療効果を得ることが難しいという問題があった。
【０００６】
このような永久磁石であっても、大型で、かつ強度の強い磁力を有する永久磁石を用いれば、磁気の強度が強くなった分だけ、人体内部へより深く磁気を到達させることはできる。しかしながら、そのような大型の永久磁石を用いると、磁気発生装置が大きくなり、かつ重量が増加するために、人体へ装着した場合の違和感が大きくなり、取り扱い難くなるとともに価格が高くなり、さらに強度の強い磁力のために危険でもあるという欠点があった。
【０００７】
そのため、強度のそれほど強くない永久磁石を用いても所望の治療効果が得られるように、永久磁石の表面からより遠方に磁気を到達させることができる磁石構成が検討されている。
【０００８】
例えば、特開２０００−３６４０６号公報には、永久磁石である複数の同形状の単位磁石を、各単位磁石間に磁気ギャップが形成されるように、磁極が交互に反転するように組み合わせた磁石構成が開示されている。図４に、この特許出願に開示される磁石構成の例を示す。
【０００９】
このような磁石構成では、極性が逆の磁極間の磁気ギャップには多くの磁束が存在するが、磁石の外部へはほとんど磁気は到達せず、磁石表面近傍でしか磁気は存在しない。そのため、この特許出願に開示されるような磁石構成の磁気発生装置を用いても、人体表面から所定の深さにある「こり」の箇所まで磁気を到達させることはできず、所望の治療効果はほとんど得られないものであった。
【００１０】
また別の磁石構成の例として、実用新案登録第３０８１１３７号公報には、永久磁石の同極同士を並列接近させて配置し、反発する永久磁石の磁気を人体に作用させる技術が開示されている。この実用新案に開示される磁石構成では、人体に接する面において、永久磁石のＳ極同士およびＮ極同士がそれぞれ隣接するように、永久磁石が配置されている。
【００１１】
このような磁石構成は、永久磁石の同極同士の反発を利用しているために、前述の特許出願に開示される磁石構成より遠方へ磁気を到達させることはできる。しかしながら、永久磁石の両端部にある磁極以外の部分（すなわち、永久磁石のＳ極とＮ極との間の部分）からの外部への磁気に対する寄与はほとんど無く、磁気発生装置の大きさに対して、磁気発生装置外部への磁気発生の効率が悪いという欠点を有するものであった。
【００１２】
さらに、一般に、人体に対してＳ極からの磁気を作用させることが望ましいと言われているが、上述の実用新案に開示されるような磁石構成では、効率的にＳ極からの磁気を人体に対して作用させることができなかった。
【００１３】
上述のような問題を解決でき、小型で薄型の形状で安価な永久磁石を用いて、人体内部のより深い箇所まで磁気、特にＳ極からの磁気を到達させることができる磁気発生装置が望まれていた。
【００１４】
また、水道管内部を通過する水に磁気を作用させる場合にも、磁気発生装置として永久磁石が用いられていた。
【００１５】
例えば、特開平１０−３１４７５１号公報に開示される水活性装置における磁石構成は、水道管を挟んでＮ極とＳ極とが対向するように永久磁石が配置されている。しかしながら、水に対して磁気を作用させる場合においても、水道管内部を通過する水に対して、Ｓ極からの磁気を作用させることが望ましいと言われている。
【００１６】
上述の特許出願に開示される水活性装置において、永久磁石の向きを単に変更して、永久磁石のＳ極同士が水道管を挟んで対向するように配置しても、永久磁石間の距離は大きく、そのため永久磁石のＳ極同士の反発による十分な作用は得られない。そのために、永久磁石のＳ極表面からの磁気は外部遠方へほとんど到達せず、水道管内部を通過する水に対してほとんど作用しないことになってしまう。
【００１７】
上述のような問題を解決でき、小型で薄型の形状で安価な永久磁石を用いて、水道管内部を通過する水に対して、特にＳ極からの磁気を作用させることができる磁気発生装置が望まれていた。
【先行技術文献】
【特許文献】
【００１８】
【特許文献１】特開２０００−３６４０６号公報
【特許文献２】実用新案登録第３０８１１３７号公報
【特許文献３】特開平１０−３１４７５１号公報
【発明の概要】
【発明が解決しようとする課題】
【００１９】
本発明が解決しようとする課題は、小型で薄型の形状で安価な永久磁石を用いて、人体内部のより深い箇所まで特にＳ極からの磁気を到達させることができる磁気発生装置、および水道管内部を通過する水に対して特にＳ極からの磁気を作用させることができる磁気発生装置を提供することである。
【課題を解決するための手段】
【００２０】
上述の課題を解決するための本発明の磁気発生装置は、互いに反対側に位置するＳ極の磁極面およびＮ極の磁極面を有する所定数の永久磁石を含む少なくとも１つの磁気発生手段を備える、磁気発生装置であって、
前記磁気発生手段が、前記永久磁石の同じ極性の磁極面が同一面に位置するように、互いに隣接して組み合わされた所定数の前記永久磁石から構成され、人体側にＳ極の磁極面を向けて、人体に接触してまたは隣接して配置されることを特徴とする。
【００２１】
さらに、上述の課題を解決するための本発明の磁気発生装置は、互いに反対側に位置するＳ極の磁極面およびＮ極の磁極面を有する所定数の永久磁石を含む少なくとも１つの磁気発生手段を備える、磁気発生装置であって、
前記磁気発生手段が、前記永久磁石の同じ極性の磁極面が同一面に位置するように、互いに隣接して組み合わされた所定数の前記永久磁石から構成され、水道管側にＳ極の磁極面を向けて、水道管に接触してまたは隣接して配置されることを特徴とする。
【発明の効果】
【００２２】
この構成を有する磁気発生装置によって、小型で薄型の形状で安価な永久磁石を組み合わせて構成された磁気発生手段の永久磁石のＳ極からの磁気を、より遠方に到達させることができ、そのため「こり」の箇所である人体内部の所定深さまで、Ｓ極からの磁気を到達させることができ、所望の治療効果を得ることができる。
【００２３】
この構成を有する磁気発生装置によって、小型で薄型の形状で安価な永久磁石を組み合わせて構成された磁気発生手段の永久磁石のＳ極からの磁気を、より遠方に磁気発生装置の外部に到達させることができ、水道管内部を通過する水にＳ極からの磁気を作用させることができる。
【図面の簡単な説明】
【００２４】
【図１Ａ】磁気発生手段の構成例を示す。
【図１Ｂ】磁気発生手段の構成例を示す。
【図１Ｃ】磁気発生手段の構成例を示す。
【図２Ａ】磁気発生手段を人体に直接接触させた例を示す。
【図２Ｂ】リングに磁気発生手段を組み込んだ例を示す。
【図２Ｃ】リングを腕に装着した例を示す。
【図２Ｄ】靴の中敷に磁気発生手段を装着した例を示す。
【図２Ｅ】腹巻に磁気発生手段を装着した例を示す。
【図２Ｆ】肩パッドに磁気発生手段を装着した例を示す。
【図３Ａ】水道管の対向する２つの側に磁気発生手段を配置した例を示す。
【図３Ｂ】水道管の周囲に磁気発生手段を配置した別の例を示す。
【図４】従来の永久磁石の構成例を示す図である。
【発明を実施するための形態】
【００２５】
以下、添付の図面を参照して、本発明の磁気発生装置をより詳細に説明する。
図１Ａ、図１Ｂ、および図１Ｃは、本発明の磁気発生装置が有する磁気発生手段１の構成例を示す図である。
【００２６】
これらの図に示されるように、磁気発生手段１は、組み合わされた複数の永久磁石１０から構成される。永久磁石１０の数は、図１Ａに示される例では３個であり、図１Ｂおよび図１Ｃに示される例では４個である。
【００２７】
これらの永久磁石１０は、互いに反対側に位置するＳ極の磁極面およびＮ極の磁極面を有する。また、これらの永久磁石１０は、同じ極性の磁極面が同一面に位置するように、互いに隣接して組み合わされている。図１Ａ、図１Ｂ、および図１Ｃに示される例では、Ｓ極が磁気発生手段１の上面に位置する構成が示されている。
【００２８】
永久磁石は、接着剤を用いることによって、あるいはケース内に封入することによって、または別の機械的な手段を用いることによって、互いに隣接してまたは接触して組み合わされる。図１Ａ、図１Ｂ、および図１Ｃに示される例では、各永久磁石１０がほぼ同じ大きさおよび形状を有する例が示されているが、各永久磁石１０が必ずしも同じ大きさおよび形状を有する必要はない。大きさまたは形状が異なる永久磁石１０を組み合わせて、磁気発生手段１を構成することもできる。
【００２９】
磁気発生手段１の大きさは、磁気発生装置の用途に応じて様々な大きさが可能である。一例として、磁気発生手段１を人体表面に装着して「こり」を治療するのであれば、厚み０．５ｍｍから２ｍｍ程度で、一辺の大きさは５ｍｍから２０ｍｍ程度の矩形形状のものが可能である。あるいは磁気発生手段１を水道管に取り付けて、水道管内部を通過する水に対して磁気を作用させる用途では、より大きな寸法を有する磁気発生手段１を用いることが可能である。また、その場合に、磁気発生手段１の水道管に接する側の磁極面が水道管の外形と合うように、磁気発生手段１を、水道管の外径に合った磁極面の形状にすることができる。
【００３０】
磁気発生手段１を構成する永久磁石１０としては、様々な材料の永久磁石１０が可能であるが、一例としてネオジウム磁石、またはサマリウムコバルト磁石などがある。また永久磁石１０として、ゴムにネオジウム磁石等を分散させて着磁させたものを使用することもできる。
【００３１】
同じ極性の磁極面が同一面に位置するように、互いに隣接して組み合わされた永久磁石１０を有する磁気発生手段１を用いることによって、同極同士の反発の作用で、磁気がより遠方へ到達する。一例として、表面磁束密度７００Ｇ程度で、直径１．５ｃｍ程度の永久磁石を、Ｓ極とＮ極とを互い違いに配置した場合には、永久磁石表面から約２ｃｍの距離まで磁気が観測された。一方、同程度の表面磁束密度を有する同程度の大きさの磁石を用いて、同じ極性の磁極面が同一面に位置するように配置した場合には、約６ｃｍの距離まで磁気が観測された。このように、本発明の磁気発生装置における磁気発生手段１の磁石構成によって、より遠方へ磁気を到達させることができることになる。
【００３２】
図２Ａ、図２Ｂ、図２Ｃ、図２Ｄ、図２Ｅ、および図２Ｆに、本発明の磁気発生装置によって発生された磁気を人体に作用させる場合の例を示す。
【００３３】
図２Ａは、磁気発生手段１を人体２に直接接触させた例を示す。磁気発生手段１のＳ極が人体２の表面側になるように、磁気発生手段１を、治療すべき箇所が内部に存在する人体２の表面に、例えば粘着テープなどの手段により直接接触させる。永久磁石１０のＳ極からの磁気が、Ｓ極同士の反発によって、人体２の表面から人体２の内部深くに到達し、所望の治療効果を得ることができる。
【００３４】
図２Ｂは、リング３に磁気発生手段１を組み込んだ例である。図２Ｂの例では、リング３に４個の磁気発生手段１が組み込まれ、各磁気発生手段１が有する永久磁石は、そのＳ極がリング内側、すなわち人体側を向くように配置されている。
【００３５】
図２Ｃに、このような構成のリング３を腕４に装着した例を示す。リングに組み込まれた磁気発生手段１の永久磁石１０のＳ極からの磁気は、Ｓ極同士の反発によって遠方へ到達するので、腕４の内部へ作用を及ぼすことができる。このような磁気発生手段１が必ずしも腕４と密着せず、磁気発生手段１と磁気を作用させるべき対象である腕４との間に距離が存在するような用途では、従来の磁石構成を用いる磁気発生装置では、磁気が外部へ到達できる距離が短いために、ほとんど治療効果を得ることはできなかった。しかしながら、本発明の磁気発生装置を用いることによって、このような用途でも、所望の治療効果を得ることができる。
【００３６】
図２Ｄは、靴の中敷５に磁気発生手段１を装着した例である。靴の中敷５の所定箇所に、Ｓ極が使用者の足表面側を向くように磁気発生手段１を装着する。使用者の足がこのような中敷５と接触している間、磁気発生手段１のＳ極からの磁気が、使用者の足内部の所定箇所に作用することになる。
【００３７】
図２Ｅは、腹巻６に磁気発生手段１を装着した例である。図２Ｅに示される腹巻６は、表裏逆にされた状態で示されている。使用時には、人体側にＳ極が向くように腹巻６を着用する。使用者が、このような磁気発生手段１が装着された腹巻６を着用すると、磁気発生手段１のＳ極からの磁気が、使用者の体内部の所定箇所に作用することになる。
【００３８】
図２Ｆは、肩パッド７に磁気発生手段１を装着した例である。図２Ｆに示される肩パッド７は、人体に接する側に磁気発生手段１のＳ極が向くように、所定箇所に磁気発生手段１が装着されている。使用者が、このような肩パッド７を着用すると、磁気発生手段１のＳ極からの磁気が、使用者の肩または首内部の所定箇所に作用することになる。
【００３９】
なお、磁気発生手段１を人体に作用させる構成は、図２Ａから図２Ｆに示された例に限定させることなく、様々な構成が可能である。例えば、指輪、ベルト、ヘアバンド、眼鏡、眼鏡チェーン、帽子など人体に着用される様々な部材に、磁気発生手段１を装着する構成が可能である。あるいは、クリップ等の形状を有し、その一部に磁気発生手段１を備えたものを、衣服等に取り付けることもできる。また、磁気発生手段１の個数、配置、大きさ、形状、用いる永久磁石の材料なども、示されたこれらの例には限定されない。
【００４０】
図３Ａおよび図３Ｂに、本発明の磁気発生装置によって発生された磁気を、水道管２０内部を通過する水に作用させる場合の例を示す。
【００４１】
図３Ａは、水道管２０の対向する２つの側に磁気発生手段１を配置した例である。磁気発生手段１は、組み合わされた複数の永久磁石１０から構成され、図３Ａに示される例では、永久磁石１０は、矢印２１で示される方向と垂直方向に配置される。もちろん、矢印２１で示される方向に配置されることもできる。磁気発生手段１は、それぞれＳ極が水道管２０側を向くように配置される。矢印２１で示された方向を流れる水道管２０内部を通過する水に対して、磁気発生手段１のＳ極からの磁気が作用することになる。
【００４２】
図３Ｂは、水道管２０の周囲に磁気発生手段１を配置した別の例である。図３Ｂの磁気発生手段１は、複数の永久磁石１０を組み合わせて構成され、そのＳ極が水道管側を向くように配置される。図３Ｂでは、矢印２１で示される方向と垂直方向に、永久磁石１０が配置されているが、矢印２１で示される方向に配置されることもできる。
【００４３】
水道管２０に対して配置される磁気発生手段１の構成は、図３Ａおよび図３Ｂに示される例に限定されない。例えば、磁気発生手段１同士が接触または近接するように配置して、水道管２０の全外周を包囲するように配置したり、または、水道管２０の長手方向に所定の距離にわたって配置されるように構成したり、様々な変形が可能である。
【００４４】
上述のように、本発明の磁気発生装置を用いることによって、小型で薄型の形状で安価な永久磁石を用いて、人体内部のより深い箇所までＳ極からの磁気を到達させることができる磁気発生装置、および水道管内部を通過する水道水に、Ｓ極からの磁気を作用させることができる磁気発生装置を提供することができる。
【符号の説明】
【００４５】
１  磁気発生手段
２  人体
３  リング
４  腕
５  中敷
６  腹巻
７  肩パッド
１０  永久磁石
２０  水道管
２１  水道水の流れる方向
【図１Ａ】
2010119858.tif 000003
【図１Ｂ】
2010119858.tif 000004
【図１Ｃ】
2010119858.tif 000005
【図２Ａ】
2010119858.tif 000006
【図２Ｂ】
2010119858.tif 000007
【図２Ｃ】
2010119858.tif 000008
【図２Ｄ】
2010119858.tif 000009
【図２Ｅ】
2010119858.tif 000010
【図２Ｆ】
2010119858.tif 000011
【図３Ａ】
2010119858.tif 000012
【図３Ｂ】
2010119858.tif 000013
【図４】
2010119858.tif 000014